(57)【要約】【課題】熱変色性インキではない筆記線と熱変色性インキの筆記線が混在している状態を摩擦体で消去する場合は、摩擦による熱変色性インキではないインキのにじみが発生する問題があり、通電加熱具ではヒーターの温度管理をする装置を携帯機器に装備することはコスト的にも困難で、安定した電力の供給や安全性に問題があり、更に筆記線を微細に消去する作業には不向きである問題があった。【解決手段】通電発熱体にニクロム線を使用して線径の幅で加熱をし、電力の供給は携帯可能な電池から電荷を１次的に蓄えたキャパシターの放電により、ニクロム線を加熱し短時間の安定した過熱により熱変色性インキの筆記線を微細に消去する手段。【選択図】図１
2012035612.tif 000002
【特許請求の範囲】
【請求項１】
紙面の熱変色性インキによる筆記線に傾斜角を有したＵ字型ニクロム線を接触させる機構を備えたことを特徴とする熱変色性インキ消去装置。
【請求項２】
電池から１次的に電荷を充電されたキャパシターを、スイッチの切り替えによりニクロム線に放電させ、該ニクロム線を過熱する機構を備えたことを特徴とする熱変色性インキ消去装置。
【発明の詳細な説明】
【技術分野】
【０００１】本発明は、熱変色性インキの筆記線を消去する装置に関する。
【背景技術】
【０００２】従来の熱変色性インキによる筆記線を消去する方法は、摩擦体や通電加熱具等により熱を発生させる事でインキを変色させて筆記線を消去することができる。
【発明の概要】
【発明が解決しようとする課題】
【０００３】上述の摩擦体では、熱変色性インキではない筆記線と熱変色性インキの筆記線が混在している状態では、摩擦による熱変色性インキではないインキのにじみが発生する問題があった。【０００４】また、通電加熱具ではヒーターの温度管理をする装置を携帯機器に装備することはコスト的にも困難で、安定した電力の供給や安全性に問題があり、更に筆記線を微細に消去する作業には不向きである問題があった。【０００５】本発明は、このような構成が有していた問題を解決しようとするものであり、簡便な通電加熱具を構成することにより、安全に安定した筆記線の微細消去を可能にしたものである。
【課題を解決するための手段】
【０００６】そして本発明は上記目的を達成するために、通電発熱体にニクロム線を使用して線径の幅で加熱をし、電力の供給は携帯可能な電池から電荷を１次的に蓄えたキャパシターの放電により、短時間の安定した過熱を構成する回路である。
【発明の効果】
【０００７】上述したように、キャパシターに電荷を蓄えることにより電池の供給電力が低下しても、安定した加熱温度を可能にし、短時間の加熱をすることにより、安全に通電発熱体であるニクロム線の線径による筆記線の微細消去を提供できる。
【図面の簡単な説明】
【０００８】
【図１】斜視概略図
【図２】本発明の回路図
【図３】電球を抵抗器に変更した本発明の回路図
【図４】消去作業を行っていない状態の側面概略図
【図５】消去作業を行っている状態の側面概略図
【発明を実施するための最良の形態】
【０００９】以下、本発明の実施の形態を適用した熱変色性インキの消去装置の一例を、図１に基づいて説明する。【００１０】図１に示すように、本体ハウジング収納部１と本体ハウジング板状部２がヒンジ部３によって可動する構造であり、ヒンジ部の対辺側には前記本体ハウジング収納部１と前記本体ハウジング板状部２が弾性力を提供するためのコイルスプリング４で結合されており、前記コイルスプリング４の中心には案内軸５が前記本体ハウジング板状部２の設置孔６に貫通して固定され、本体ハウジング収納部１には案内軸５が進行するための案内孔７を有している。【００１１】前記、本体ハウジング収納部１の上部には凸レンズ８が設置され、本体ハウジング板状部２には円形孔９が開けられており、前記コイルスプリング４に加えられる荷重が本体ハウジング収納部１だけの場合は、本体ハウジング収納部１と前記本体ハウジング板状部２に空間を設けられている状態になり、前記本体ハウジング収納部１の上部を本体ハウジング板状部２側に押すことで、前記本体ハウジング収納部１と前記本体ハウジング板状部２を結合しているコイルスプリング４が圧縮されることにより、前記本体ハウジング収納部１と前記本体ハウジング板状部２は重合された状態になり、前記凸レンズ８と前記本体ハウジング板状部２の円形孔９の中心は同一軸線上に設置されている。【００１２】本体ハウジング収納部１には、電池１０と単極単投スイッチ１１と電球１２と単極双投スイッチ１３とキャパシター１４と、本体ハウジング収納部１と本体ハウジング板状部２が重合した際に本体ハウジング板状部２に対して、傾斜角を有したＵ字型のニクロム線１５と前記ニクロム線１５を保持するための基板１６を収納している。【００１３】前記傾斜角を有したＵ字型のニクロム線１５は、本体ハウジング収納部１と本体ハウジング板状部２が重合した際に、本体ハウジング板状部２の円形孔９からＵ字型のニクロム線１５のアーチ部１７が突出するように前記ニクロム線１５を保持するための基板１６が設置されている。【００１４】図２の回路図において、図１の本体ハウジング収納部１に収納された構成部品の接続を説明すると、電池１０の正極から抵抗体であるフィラメントを使用した電球１２を介し、本体ハウジング収納部１と本体ハウジング板状部２が重合した際に導通するように設けられた単極単投スイッチ１１の可動片Ａに接続され、前記単極単投スイッチ１１の接点Ｂから単極双投スイッチ１３の接点Ｃに接続され、単極双投スイッチ１３の可動片Ｄはキャパシター１４の正極に接続され、ニクロム線１５は単極双投スイッチ１３の接点Ｅとキャパシター１４の負極と電池１０の負極に接続される。【００１５】消去作業をしていない状態の側面図は図４に示すように、本体ハウジング収納部１と本体ハウジング板状部２はコイルスプリング４によって空間を保持されており、本体ハウジング収納部１に設置された単極単投スイッチ１１は非導通状態になっているため、電池１０から電球１２を介してキャパシター１４には充電されていない。【００１６】消去作業を行っている状態の本体ハウジング収納部１と本体ハウジング板状部２の側面図は、図５に示すように本体ハウジング収納部１と本体ハウジング板状部２が重合し、図２の単極単投スイッチ１１は導通状態であり、電池１０から電球１２を介してキャパシター１４に電荷を充電され、充電中は電球１２に電流が流れるため電球１２が点灯し、キャパシター１４に充電していることが視認できるが、視認することが必要なければ図３のように抵抗器Ｒでも構わない。【００１７】前記キャパシター１４への充電が完了して、電球１２が消灯した後に本体ハウジング収納部１の側面に設置されている単極双投スイッチ１３を、図２の回路図で示す単極単投スイッチ１１側に接続されている接点Ｃから、ニクロム線１５側に接続されている接点Ｅに切り替えることにより、キャパシター１４に充電されていた電荷はニクロム線１５を発熱させ、図５の本体ハウジング板状部２を紙面１８に当て、熱変色性インキで書かれた筆記線上に接触したニクロム線１５が発熱することにより、筆記線を消去することができ、本体ハウジング収納部１の上部に設置されている凸レンズ８により消去部分を拡大して視認することができる。【００１８】電池１０の供給電力が低下した場合では、図５に示すように本体ハウジング収納部１と本体ハウジング板状部２が重合し、図２の単極単投スイッチ１１を導通状態にして、キャパシター１４に電荷を充電する時間を長くする作業を行い、後に本体ハウジング収納部１の側面に設置されている単極双投スイッチ１３を、図２の回路図で示す単極単投スイッチ１１側に接続されている接点Ｃから、ニクロム線１５側に接続されている接点Ｅに切り替えることにより、消去可能な電力をキャパシター１４から通電発熱体であるニクロム線１５に供給できる。
【符号の説明】
【００１９】１        本体ハウジング収納部
２        本体ハウジング板状部
３        ヒンジ部
４        コイルスプリング
５        案内軸
６        設置孔
７        案内孔
８        凸レンズ
９        円形孔
１０      電池
１１      単極単投スイッチ
１２      電球
１３      単極双投スイッチ
１４      キャパシター
１５      ニクロム線
１６      基板
１７      アーチ部
１８      紙面
Ｒ        抵抗器
Ａ        可動片
Ｂ        接点
Ｃ        接点
Ｄ        可動片
Ｅ        接点
【図１】
2012035612.tif 000003
【図２】
2012035612.tif 000004
【図３】
2012035612.tif 000005
【図４】
2012035612.tif 000006
【図５】
2012035612.tif 000007